(57)【要約】【課題】簡素な構造で容器体の交換が可能な付け替え容器を提供する。【解決手段】付け替え容器１は、開口部１１ａを有して有底筒状の容器本体部１１とこの上側端部に径方向外側へ突出するフランジ部１３を有する容器体１０と、容器体１０が着脱可能に装着されて開口部１１ａを塞ぐ蓋体２０とを有する。蓋体２０は、容器本体部１１が挿入される孔部２１ａを有して環状の支持部２１と、連通孔３０ａを有して環状であり支持部２１の支持部端面２１ｂに装着される保持部３０と、天板部５１を有して連通孔３０ａを開閉可能に塞ぐ蓋部５０とを有する。保持部３０は支持部２１に対して回動可能であり、保持部３０の下側の保持部端面３０ｂが支持部２１の上側の支持部端面２１ｂに対向して支持部２１に装着される。蓋部５０は保持部３０に対して回動可能であり、天板部５１が連通孔３０ａを塞ぐ。フランジ部１３は支持部端面２１ｂと保持部端面３０ｂとの間に挟持される。【選択図】  図３
2020125153.tif 000002
【特許請求の範囲】
【請求項１】
一方側に開口部を有して有底筒状の容器本体部と前記容器本体部の一方側端部に設けられ径方向外側へ突出する環状のフランジ部とを有する容器体と、
前記容器体が着脱可能に装着されて前記開口部を塞ぐ蓋体と、を有し、
前記蓋体は、
径方向内側に前記容器本体部が挿抜可能に挿入される孔部を有して環状の支持部と、
径方向内側に前記孔部に連通可能な連通孔を有して環状であり、前記支持部の一方側の支持部端面に対向して装着される保持部と、
前記保持部の前記連通孔の一方側の開口を覆う天板部を有して前記連通孔を開閉可能に塞ぐ蓋部と、を有し、
前記保持部は、前記支持部に連結された第１連結部を支点として前記支持部に対して接近する方向及び離れる方向に回動可能であり、
前記蓋部は、前記保持部に連結された第２連結部を支点として前記保持部に対して接近する方向及び離れる方向に回動可能であり、
前記容器本体部の前記フランジ部は、前記支持部の一方側の前記支持部端面と前記保持部の他方側の保持部端面との間に挟持される
ことを特徴とする付け替え容器。
【請求項２】
前記支持部の一方側の前記支持部端面における径方向内側部分には、一方側及び径方向内側に開口する円環状の段部が設けられ、
前記フランジ部は、前記段部上に設置される
ことを特徴とする請求項１に記載の付け替え容器。
【請求項３】
前記段部の深さは、前記フランジ部の径方向に対して直交する方向の厚さと同一である
ことを特徴とする請求項２に記載の付け替え容器。
【請求項４】
前記保持部の他方側の前記保持部端面の径方向内側には、前記保持部が前記支持部に装着された状態で、他方側へ突出して前記容器本体部の内面に接触する環状の第１シール筒が設けられる
ことを特徴とする請求項１から３のいずれか１項に記載の付け替え容器。
【請求項５】
前記保持部は、径方向外側縁部に他方側へ延びて周方向に環状に形成された外壁部を有し、
前記容器体の前記フランジ部は、径方向外側縁部に他方側へ突出して周方向に環状に形成された突出部を有し、
前記突出部の径方向外側端面は、前記外壁部の内面に接触する
ことを特徴とする請求項１に記載の付け替え容器。
【請求項６】
前記支持部には、一方側及び径方向外側が開口する環状の収容段部が形成され、
前記収容段部の径方向内側端から上方へ延びる前記支持部の上側外面と前記収容段部とで区画される環状の領域内に前記突出部が収容される
ことを特徴とする請求項５に記載の付け替え容器。
【請求項７】
前記蓋部の前記天板部の内面には、前記天板部が前記連通孔を塞いだ状態で、他方側へ突出して前記保持部の前記連通孔を形成する保持部内面に接触する環状の第２シール筒が設けられる
ことを特徴とする請求項１から６のいずれか１項に記載の付け替え容器。
【発明の詳細な説明】
【技術分野】
【０００１】
本発明は、付け替え容器に関する。
【背景技術】
【０００２】
従来より、内容物を収容する容器体と、この容器体を付替え可能に収容・保持する外容器とを有し、内容物を使い切った後に、容器体だけを交換可能な付け替え容器が提案されている（例えば、特許文献１参照）。
【０００３】
特許文献１に記載の付け替え容器の外容器は、筒状に形成された容器本体の開口部に蓋体が装着される。蓋体には、内容物を排出可能な排出口と、排出口を開閉可能な蓋部が設けられる。容器体は、有底筒状に形成されて、内部に内容物が収容される。付け替え容器は、容器体を外容器内に収容した状態で蓋体が外容器に装着される。内容物を排出する場合には、例えば、蓋部を開けて排出口を開き、排出口が下方へ向いた姿勢で付け替え容器を上下方向に振ることで、内容物が排出口を通って排出される。
【０００４】
前記付け替え容器の容器体は、変形自在な包装袋とされている。このため、容器体の形状を保つために、容器体は剛性の外容器内に収容されている。
【先行技術文献】
【特許文献】
【０００５】
【特許文献１】特許第６０５８２７４号公報
【発明の概要】
【発明が解決しようとする課題】
【０００６】
ところで、特許文献１に記載された付け替え容器は、外容器内に容器体（包装袋）を収容するとともに、蓋体と外容器とで容器体（包装袋）の上端開口部を挟持しているが、このような付け替え容器については、容器の構造を簡素化することが望まれている。
【０００７】
本発明は、上記した従来技術における問題点を解消すべく、簡素な構造で容器体の交換が可能な付け替え容器を提供することを課題とする。
【課題を解決するための手段】
【０００８】
上記課題を解決するための手段のうち、本発明の主たる手段は、一方側に開口部を有して有底筒状の容器本体部と前記容器本体部の一方側端部に設けられ径方向外側へ突出する環状のフランジ部とを有する容器体と、前記容器体が着脱可能に装着されて前記開口部を塞ぐ蓋体と、を有し、前記蓋体は、径方向内側に前記容器本体部が挿抜可能に挿入される孔部を有して環状の支持部と、径方向内側に前記孔部に連通可能な連通孔を有して環状であり、前記支持部の一方側の支持部端面に対向して装着される保持部と、前記保持部の前記連通孔の一方側の開口を覆う天板部を有して前記連通孔を開閉可能に塞ぐ蓋部と、を有し、前記保持部は、前記支持部に連結された第１連結部を支点として前記支持部に対して接近する方向及び離れる方向に回動可能であり、前記蓋部は、前記保持部に連結された第２連結部を支点として前記保持部に対して接近する方向及び離れる方向に回動可能であり、前記容器本体部の前記フランジ部は、前記支持部の一方側の前記支持部端面と前記保持部の他方側の保持部端面との間に挟持されることを特徴とする付け替え容器と云うものである。
【０００９】
支持部は、径方向内側に容器本体部が挿抜可能に挿入される孔部を有する。また、保持部は、支持部に連結された第１連結部を支点として支持部に対して接近する方向及び離れる方向に回動可能である。さらに、容器本体部のフランジ部は、支持部の一方側の支持部端面と保持部の他方側の保持部端面との間に挟持される。
【００１０】
このため、容器体を蓋部から取り出す場合には、保持部を支持部から離れる方向に回動させて、容器本体部の一方側(フランジ部)を露出させる。露出した容器本体部を一方側へ引き出すと、容器本体部が支持部の孔部から抜脱されて、容器体が蓋部から取り出される。一方、容器体を蓋部に装着する場合には、保持部を支持部から離れる方向に回動させた状態で、容器体の容器本体部を底側から支持部の孔部内に挿入し、フランジ部を支持部の一方側端面上に設置する。そして、第1連結部を回動支点として保持部を支持部に接近する方向に回動させて、フランジ部を、支持部の一方側の支持部端面と保持部の他方側の保持部端面との間に挟持させる。従って、容器体は蓋体に対して着脱可能に交換される。よって、簡素な構造で容器体の交換が可能な付け替え容器を提供することができる。
【００１１】
また、前記支持部の一方側の前記支持部端面における径方向内側部分には、一方側及び径方向内側に開口する円環状の段部が設けられ、前記フランジ部は、前記段部上に設置されてもよい。
【００１２】
この場合、フランジ部は支持部端面の一部である段部上に設置された状態で、支持部の一方側の支持部端面と保持部の他方側の保持部端面との間に挟持される。このため、支持部に対して容器本体部を径方向に位置決めした状態で、容器本体部を支持部に固定することができる。
【００１３】
また、前記段部の深さは、前記フランジ部の径方向に対して直交する方向の厚さと同一であってもよい。
【００１４】
この場合、段部の深さは、フランジ部の径方向に対して直交する方向の厚さと同一であるので、フランジ部の一方側の面は保持部の他方側端面に面接触し、フランジ部の他方側の面は、支持部の一方側端面である段部の一方側端面に面接触する。また、段部よりも径方向外側では、支持部の一方側の支持部端面と保持部の他方側の保持部端面とが面接触する。このため、フランジ部を支持部の一方側の支持部端面と保持部の他方側の保持部端面で確実に挟持することができるとともに、支持部端面と保持部端面との間の隙間の発生を抑えることができる。
【００１５】
また、前記保持部の他方側の前記保持部端面の径方向内側には、前記保持部が前記支持部に装着された状態で、他方側へ突出して前記容器本体部の内面に接触する環状の第１シール筒が設けられてもよい。
【００１６】
この場合、保持部が支持部に装着された状態で、第１シール筒は容器本体部の内面に接触する。このため、第１シール筒と容器本体部の内面との間の隙間の発生が抑制されるので、支持部の一方側の支持部端面と保持部の他方側の保持部端面との間の隙間を介して容器本体部内と外部とが連通する虞を抑制することができる。
【００１７】
また、前記保持部は、径方向外側縁部に他方側へ延びて周方向に環状に形成された外壁部を有し、前記容器体の前記フランジ部は、径方向外側縁部に他方側へ突出して周方向に環状に形成された突出部を有し、前記突出部の径方向外側端面は、前記外壁部の内面に接触してもよい。
【００１８】
この場合、突出部の径方向外側端面が外壁部の内面に接触するので、突出部の径方向外側端面と外壁部の内面との間の隙間の発生を抑えることができる。よって、突出部の径方向外側端面とこれに接する外壁部の内面との間のシール性を向上することができる。
【００１９】
また、前記支持部には、一方側及び径方向外側が開口する環状の収容段部が形成され、前記収容段部の径方向内側端から上方へ延びる前記支持部の上側外面と前記収容段部とで区画される環状の領域内に前記突出部が収容されてもよい。
【００２０】
この場合には、収容段部の径方向内側端から上方へ延びる支持部の上側外面と収容段部とで区画される環状の領域内に突出部が収容されるので、保持部の他方側端面及び支持部の一方側端面によってフランジ部を挟持する際に、これらの端面がフランジ部の一方側及び他方側の面に面接触した状態でフランジ部を挟持することができる。
【００２１】
また、前記蓋部の前記天板部の前記内面には、前記天板部が前記連通孔を塞いだ状態で、他方側へ突出して前記保持部の前記連通孔を形成する保持部内面に接触する環状の第２シール筒が設けられてもよい。
【００２２】
この場合、天板部が前記連通孔を塞いだ状態では、第２シール筒は保持部の連通孔を形成する保持部内面に接触するので、第２シール筒と保持部内面との隙間の発生を抑制することができる。よって、第１シール筒と相まって、容器体内の密封性をより向上させることができる。
【発明の効果】
【００２３】
本発明によれば、簡素な構造で容器体の交換が可能な付け替え容器を提供することができる。
【図面の簡単な説明】
【００２４】
【図１】第１実施形態に係る付け替え容器の斜視図である。
【図２】図２（ａ）は、図１のｂ矢視方向から見た蓋体の斜視図であり、図２（ｂ）は、容器体の斜視図である。
【図３】図３（ａ）は、図１のI−I矢視に相当する付け替え容器の断面図であり、図３(ｂ)は、図３（ａ）のＡ矢視に相当する部分の拡大断面図である。
【図４】図４（ａ）は、蓋体の支持部に対して保持部が開いた状態を図１のｂ矢視方向から見た蓋体の斜視図であり、図４（ｂ）は、蓋体の保持部に対して蓋部が開いた状態を図１のａ矢視方向から見た蓋体の斜視図である。
【図５】蓋体に対して容器体を交換する場合の説明図である。
【図６】図６（ａ）は、支持部に容器体が挿入された付け替え容器の斜視図であり、図６（ｂ）は、蓋体の支持部及び保持部で挟持された容器体に対して蓋部が開いた状態の付け替え容器の斜視図である。
【図７】第２実施形態に係る付け替え容器の断面図であり、図７（ａ）は、容器本体に対して蓋部が閉状態にある場合を示し、図７（ｂ）は、容器本体に対して蓋部が開状態にある場合を示す。
【図８】シール部材が設けられた容器体の断面図である。
【図９】蓋体の展開図である。
【図１０】図１０（ａ）は、図７（ａ）のＡ矢視部分の拡大断面図であり、図１０（ｂ）は、図７（ａ）のＢ矢視部分の拡大断面図である。
【発明を実施するための形態】
【００２５】
以下、図面を参照しながら、本発明の実施形態に係る付け替え容器について説明する。本実施形態では、調味料、薬品、化粧料等の粉体、錠剤、クリーム、液体等（以下、「内容物」と記述する。）が収容される付け替え容器について説明する。
【００２６】
図面においては、付け替え容器の中心軸を容器軸Ｊと記述し、容器軸Ｊに平行な方向を単に「軸方向」と記述し、容器軸Ｊを中心とする径方向を単に「径方向」と記述し、容器軸Ｊを中心とする周方向、すなわち、容器軸Ｊの軸周りを単に「周方向」と記述する。また、容器軸Ｊ方向のうち、容器体に対して蓋体が位置する方向を「上側」と記述し、その逆側を「下側」と記述する。
【００２７】
＜全体構成＞
［第１実施形態］
図１は、第１実施形態に係る付け替え容器の斜視図である。図２（ａ）は、図１のｂ矢視方向から見た蓋体２０の斜視図であり、図２（ｂ）は、容器体１０の斜視図である。図３（ａ）は、図１のＩ−Ｉ矢視に相当する付け替え容器１の断面図であり、図３(ｂ)は、図３（ａ）のＡ矢視に相当する部分の拡大断面図である。本実施形態の付け替え容器１は、図１、図２、図３（ａ）に示すように、容器体１０と、蓋体２０とを有する。容器体１０は、一方側（上側）に開口部１１ａを有して有底筒状の容器本体部１１と、容器本体部１１の一方側端部（上側端部）に設けられ径方向外側へ突出する環状のフランジ部１３とを有して、いわゆるカップ状を呈している。なお、容器本体部１１の高さや形状は種々のものが選択可能であり、フランジ部１３を有するものであればカップ状に限らない。蓋体２０は、容器体１０に装着されて開口部１１ａを開閉可能とされている。以下、構成部材毎に詳細に説明する。
【００２８】
＜容器体１０＞
容器体１０は、図１、図２（ｂ）、図３（ａ）に示すように、例えば合成樹脂（例えば、ポリエチレンテレフタレート（ＰＥＴ），ポリプロピレン（ＰＰ）、ポリエチレン(ＰＥ)、紙等の単層または積層体とされており、射出成形や熱成形（シート成形）等の種々の成形方法により製造される。
【００２９】
本実施形態では、容器体１０の容器本体部１１は、上側に円形状の開口部１１ａを有し、内側に内容物を収容する収容空間部１１ｂを有する。容器本体部１１は、側面視において上側の辺が下側の辺よりも長い台形状である。このため、容器本体部１１の側壁１４は、上方に進むに従って径方向外側に拡開する。容器本体部１１の底部１１ｃは、平面視において、円形状に形成されている。底部１１ｃは、容器本体部１１の下端部よりも上方に形成されている。すなわち、底部１１ｃは上げ底となっている。なお、容器本体部１１は、側面視において台形状に限るものではなく、側面視において直方形状、正方形状でもよい。
【００３０】
フランジ部１３は、容器本体部１１の上端部から径方向外側に向かって突出するとともに、容器本体部１１の上端部に周方向に沿って形成される。即ち、フランジ部１３は、平面視において円環状である。フランジ１３部の上下方向の厚さＷは、容易に変形しない程度の肉厚とすることが好ましい。
【００３１】
＜蓋体２０＞
図４（ａ）は、蓋体２０の支持部２１に対して保持部３０が開いた状態を図１のｂ矢視方向から見た蓋体２０の斜視図である。図４（ｂ）は、蓋体２０の保持部３０に対して蓋部５０が開いた状態を図１のａ矢視方向から見た蓋体２０の斜視図である。
【００３２】
蓋体２０は、図３（ａ）、図４（ａ）、図４（ｂ）に示すように、径方向内側に容器本体部１１が挿抜可能に挿入される孔部２１ａを有する環状の支持部２１と、径方向内側に孔部２１ａに連通可能な連通孔３０ａを有して環状であり、支持部２１の一方側の支持部端面２１ｂに沿って対向して装着される保持部３０と、保持部３０の連通孔３０ａの一方側の開口を覆う天板部５１を有して連通孔３０ａを開閉可能に塞ぐ蓋部５０と、を有する。蓋体２０は、例えば合成樹脂（例えば、ポリエチレンテレフタレート（ＰＥＴ），ポリプロピレン（ＰＰ）、ポリエチレン(ＰＥ)等の射出成形により一体に形成される。
【００３３】
（支持部２１）
本実施形態では、支持部２１は、図３（ａ）、図３(ｂ)に示すように、上下方向の断面形状が四角形状に形成されて、内側には下側が開口して周方向に延びる空間部２１ｄが形成されている。空間部２１ｄには、周方向に間隔を有して径方向に延びる補強リブが複数設けられている。支持部２１の上側の端面（以下、支持部端面２１ｂと記す。）は、側面視において、平面状に形成されている。支持部２１の径方向外側の外面は、側面視において、上下方向に直線状に延びる。
【００３４】
支持部２１の径方向内側の支持部内面２１ｃは、図３（ａ）及び図３(ｂ)に示すように、上方に進むに従って径方向外側に傾斜する。支持部内面２１ｃの上端部の内径は、容器体１０の容器本体部１１の上側の外径と略同一である。この支持部内面２１ｃにより上下方向に貫通する孔部２１ａが形成される。また、支持部内面２１ｃの容器軸Ｊと平行な仮想線Ｌに対する傾斜角θ２は、容器本体部１１の側壁１４の傾斜角θ１と略同一である。このため、容器本体部１１は、その底部１１ｃ側を孔部２１ａの上方位置から下方へ向けた状態で孔部２１ａ内に容易に挿入可能である。孔部２１ａ内に容器本体部１１が挿入されると、支持部内面２１ｃに容器本体部１１の側壁１４の外面が接触する。なお、支持部内面２１ｃと容器本体部１１の側壁１４の外面との接触は、面接触に限らず、線接触や点接触でもよく、いずれの場合であっても径方向にガタつきが防止されるように接触されていることが好ましい。また、支持部内面２１ｃは、傾斜するに限らず、容器軸Ｊと平行でもよい。
【００３５】
支持部端面２１ｂにおける径方向の内側部分には、径方向内側及び上方に開口する円環状の段部２１ｂ１が設けられる。段部２１ｂ１の外径は、フランジ部１３の外径以上となっている。フランジ部１３は、段部２１ｂ１上に設置される。このため、フランジ部１３の設置時に、フランジ部１３が段部２１ｂ１の径方向外側を超えることはない。よって、支持部２１の支持部端面２１ｂ及び保持部３０の下側の保持部端面３０ｂによってフランジ部１３が挟持されたときに、保持部端面３０ｂは、支持部端面２１ｂにおいて段部２１ｂ１より径方向外側に位置する部分及びフランジ部１３に面接触する。
【００３６】
段部２１ｂ１の深さＨは、図３（ｂ）に示すように、フランジ部１３の径方向に対して直交する方向（上下方向）の厚さＷと同一である。このため、フランジ部１３の上側の面は保持部３０の下側の保持部端面３０ｂに面接触し、フランジ部１３の下側の面は、段部２１ｂ１の上側の面に接触する。したがって、フランジ部１３を支持部２１及び保持部３０との間で確実に挟持することができる。また、支持部端面２１ｂにおける段部２１ｂ１より径方向外側の領域では、支持部２１の上側の支持部端面２１ｂと保持部３０の下側の保持部端面３０ｂとが面接触するので、支持部端面２１ｂと保持部端面３０ｂとの間の隙間の発生をより抑えることができる。
【００３７】
支持部端面２１ｂの外周縁には、図３（ａ）及び図４に示すように、径方向内側に窪む環状の係合段部２５が設けられる。係合段部２５には、保持部３０の下側の保持部端面３０ｂから垂下された嵌合突起３１が挿入される。嵌合突起３１の詳細については後述する。
【００３８】
（保持部３０）
保持部３０は、図１、図３（ａ）、図４(ａ)に示すように、支持部２１に連結された第１連結部３３を支点として支持部２１に対して接近する方向及び離れる方向に回動可能であり、保持部３０の下側の保持部端面３０ｂが支持部２１の支持部端面２１ｂに対向可能とされている。本実施形態では、保持部３０と支持部２１の径方向外側の支持部外面とが、第１連結部３３を介して一体に成形されている。
【００３９】
本実施形態では、図３（ａ）及び図３(ｂ)に示すように、保持部３０の上側の端面（以下、保持部端面３０ｃと記す。）及び下側の端面（保持部端面３０ｂ）は、側面視において、平面状に形成されて互いに平行に延びる。保持部３０の径方向外側の外面（以下、保持部外面と記す。）は、側面視において、上下方向に直線状に延びる。
【００４０】
保持部３０の下側の保持部端面３０ｂは、保持部３０が支持部２１に装着された状態で、支持部端面２１ｂに接触するとともに、フランジ部１３の上側の面に接触する。
【００４１】
保持部３０には、上下方向に貫通する連通孔３０ａが形成されている。連通孔３０ａは、保持部３０が支持部２１に装着された状態で、平面視において、支持部２１の孔部２１ａよりも径方向内側に位置する。このため、連通孔３０ａと孔部２１ａは連通する。
【００４２】
保持部３０及び支持部２１は、図１及び図３（ａ）に示すように、上下方向に延びる第１連結部３３を介して繋がっている。本実施形態では、第１連結部３３は薄肉部３３ａを有する。薄肉部３３ａは、周方向に所定幅を有して上下方向に板状に延びる。薄肉部３３ａはヒンジとして機能して、薄肉部３３ａを回動支点として、保持部３０は、支持部２１側へ接近する方向及び支持部２１から離れる方向に回動可能である。
【００４３】
保持部３０の下側の保持部端面３０ｂの径方向内側には、図３（ａ）及び図３（ｂ）に示すように、保持部３０が支持部２１に装着された状態で、下側へ突出して容器本体部１１の内面に接触する環状の第１シール筒３７が設けられる。
【００４４】
本実施形態では、第１シール筒３７は、保持部３０の保持部端面３０ｂにおける径方向内周縁から下方へ突出する。第１シール筒３７は、開口部１１ａの内面形状に一致する円筒状である。第１シール筒３７の内面は容器軸Ｊに沿って上下方向に延び、第１シール筒３７の径方向外側の外面は容器本体部１１の内面に沿って延びる。即ち、第１シール筒３７の前記外面は、上方に進むに従って径方向外側に傾斜する。このため、保持部３０が支持部２１に装着された状態で、第１シール筒３７は容器本体部１１の内面に面接触する。したがって、第１シール筒３７と容器本体部１１の内面との間の隙間の発生を効果的に抑制することができる。
【００４５】
保持部３０の保持部端面３０ｃには、蓋部５０の天板部５１が連通孔３０ａを塞いだ状態で、上側へ突出して蓋部５０の側壁部５３の内面に嵌合する筒状の嵌合筒３９が設けられる。本実施形態では、嵌合筒３９は、円筒状である。
【００４６】
なお、嵌合筒３９は、蓋部５０の天板部５１が連通孔３０ａを塞いだ状態で、嵌合筒３９の上端部が天板部５１の内面（下面）に接触してもよい。このようにすると、嵌合筒３９と天板部５１の内面との隙間の発生を抑制することができる。よって、容器本体部１１内の密封を、第１シール筒３７と相まって、より向上させることができる。
【００４７】
保持部３０には、図３（ａ）、図３（ｂ）、図４（ａ）に示すように、下側へ突出する係止部４１が設けられている。係止部４１は、上下方向に平面状に延びる。係止部４１の下端部には、径方向内側へ突出する係止突起部４１ａが形成されている。係止部４１は、支持部２１において第１連結部３３と周方向に１８０°離れた支持部外面に形成された平面部２６に沿って延びて、係止部４１の係止突起部４１ａが支持部２１の下側端面に係止されて、保持部３０を支持部２１に保持する。なお、平面部２６及び係止部４１の位置は、第１連結部３３に干渉しない位置であればよい。また、係止部４１は、支持部外面に平面部２６が設けられていない場合には、支持部外面に合わせた円弧状でもよい。
【００４８】
（蓋部５０）
蓋部５０は、図２（ａ）、図３（ａ）、図４（ｂ）に示すように、保持部３０に連結された第２連結部５５を支点として保持部３０に対して接近する方向及び離れる方向に回動可能であり、天板部５１の内面が保持部３０の連通孔３０ａに対向して連通孔３０ａを塞ぐ。本実施形態では、蓋部５０と保持部３０の径方向外側の保持部外面とが、第２連結部５５を介して一体に成形されており、第２連結部５５が第１連結部３３に対して周方向に１８０°離れて設けられている。
【００４９】
本実施形態では、蓋部５０は、円板状の天板部５１と、天板部５１の周縁部から下方へ延びる円筒状の側壁部５３とを有する。
【００５０】
蓋部５０及び保持部３０は、上下方向に延びる第２連結部５５を介して繋がっている。本実施形態では、第２連結部５５は薄肉部５５ａを有する。薄肉部５５ａは、周方向に所定幅を有して上下方向に板状に延びる。薄肉部５５ａはヒンジとして機能して、薄肉部５５ａを回動支点として、蓋部５０は、保持部３０側へ接近する方向及び支持部から離れる方向に回動可能である。
【００５１】
蓋部５０の天板部５１の内面には、図３（ａ）及び図３（ｂ）に示すように、天板部５１が連通孔３０ａを塞いだ状態で、下側へ突出して保持部３０の連通孔３０ａを形成する保持部内面３０ｄに接触する環状の第２シール筒５７が設けられる。本実施形態では、第２シール筒５７は、円筒状であり、天板部５１が連通孔３０ａを塞いだ状態で、第２シール筒５７の径方向外側の面の下端部が保持部３０の保持部内面３０ｄに接触する。このため、第２シール筒５７と保持部内面３０ｄとの隙間の発生を抑制することができる。よって、第１シール筒３７と相まって、容器本体部１１内の密封性をより向上させることができる。
【００５２】
蓋部５０の側壁部５３は、蓋部５０の天板部５１が連通孔３０ａを塞いだ状態で、保持部３０に形成された嵌合筒３９の外面に嵌合される。このため、蓋部５０を保持部３０にガタのない状態で装着することができる。
【００５３】
蓋部５０の側壁部５３において、第２連結部５５から周方向に１８０°離れた位置には、図３（ａ）及び図４（ｂ）に示すように、径方向外側へ突出する指掛け部５９が形成される。指掛け部５９は、側壁部５３の周方向に沿って所定の長さを有して延びる。
【００５４】
なお、支持部２１、保持部３０及び蓋体２０は、一体成型品である。このため、支持部２１、保持部３０及び蓋体２０が別個に製造される場合と比較して、製造コストを安価にすることができる。
【００５５】
＜付け替え容器１の容器体交換方法＞
次に、容器体１０の交換方法について、図５、図６（ａ）、図６（ｂ）を参照しながら説明する。図５は、蓋体２０に対して容器体１０を交換する場合の説明図である。図６（ａ）は、支持部に容器体が挿入された付け替え容器の斜視図である。図６（ｂ）は、蓋体の支持部及び保持部で挟持された容器体に対して蓋部が開いた状態の付け替え容器の斜視図である。なお、図５及び図６（ａ）は、図１のｂ矢視方向から見た図であり、図６（ｂ）は図１のａ矢視方向から見た図である。
【００５６】
先ず、図５及び図６（ａ）に示すように、保持部３０を支持部２１に対して上方へ回動させて保持部３０を開いた状態にする。保持部３０が開いた状態になると、支持部２１に装着された容器体１０が露出される。露出された容器体１０を支持部２１に対して上方へ引き上げて支持部２１の孔部２１ａから抜脱する。
【００５７】
次に、新たに収容する容器体１０´の上部に貼付されたシール部材１６を剥がし、容器本体部１１の底部１１ｃ側を支持部２１の孔部２１ａ側へ向けた状態で容器本体部１１を孔部２１ａ内に上側から挿入する。孔部２１ａ内に挿入された容器本体部１１のフランジ部１３は、図３（ｂ）に示すように、支持部２１の段部２１ｂ１上に設置（載置）される。なお、フランジ部１３が支持部２１の段部２１ｂ１上に設置された後に、容器体１０´の上部に貼付されたシール部材１６を剥がしてもよい。
【００５８】
次に、図６（ｂ）に示すように、開いた状態にある保持部３０を支持部２１側へ回動させて保持部３０を支持部２１に装着する。保持部３０の装着時には、図３（ｂ）に示すように、係止部４１の係止突起部４１ａを支持部２１の下側端面に係止させて保持部３０を支持部２１に係止して、容器体１０，１０´の交換作業が終了する。なお、容器体１０内の内容物を使用する場合には、図６（ｂ）に示すように、蓋部５０を支持部２１に対して回動させて開いた状態にする。
【００５９】
従って、蓋体２０に対して容器体１０を容易に着脱可能に交換することができる。よって、容器体１０を収容する外容器がなくても簡素な構造で容器体１０の交換が可能な付け替え容器１を提供することができる。
【００６０】
以上、実施例に沿って本発明の構成とその作用効果について説明したが、本発明の実施の形態は上記実施例に限定されるものではない。例えば、前述した実施形態では、第２連結部５５が第１連結部３３に対して周方向に１８０°離れて設けられる場合を示したが、１８０°に限定されない。蓋体２０を金型で一体成形する場合、蓋体２０の保持部３０、支持部２１、蓋部５０を展開したときに、支持部２１と蓋部５０とが干渉しなければ、第２連結部５５の第１連結部３３に対する周方向の位置は、１８０°よりも小さい９０°、６０°等のいずれの位置でもよい。
【００６１】
また、前述した実施形態では、容器本体部１１を円形状の開口部１１ａからなる円筒状の場合を示して説明したが、本発明はこれに限るものではなく、容器本体部１１の開口部１１ａを四角形、五角形等からなる角筒状であってもよい。
【００６２】
また、前述した実施形態では、段部２１ｂ１を支持部２１の上側の支持部端面２１ｂに設けた場合を示したが、本発明はこれに限るものではなく、保持部３０の下側の保持部端面３０ｂに設けてもよい。このような段部は、支持部２１の上側の支持部端面２１ｂ及び保持部３０の下側の保持部端面３０ｂの少なくとも一方に設ければよく、どちらにも前記段部を設けない構成としてもよい。
【００６３】
［第２実施形態］
第２実施形態では、前述した第１実施形態との相違点のみを説明し、第１実施形態と同一態様部分については同一符号を付してその説明を省略する。図７は、第２実施形態に係る付け替え容器の断面図であり、図７（ａ）は、容器本体に対して蓋部が閉状態にある場合を示し、図７（ｂ）は、容器本体に対して蓋部が開状態にある場合を示す。図８は、シール部材が設けられた容器体の断面図である。図９は、蓋体の展開図である。図１０（ａ）は、図７（ａ）のＡ矢視部分の拡大断面図であり、図１０（ｂ）は、図７（ａ）のＢ矢視部分の拡大断面図である。なお、図９は、支持部２１が裏面側を向いた状態を、保持部３０は表面側を向いた状態を、蓋部５０は裏面側を向いた状態を表している。
【００６４】
容器体１０のフランジ部６１は、図８及び図１０（ａ）に示すように、径方向外側縁部に下側へ突出して周方向に環状に形成された突出部６１ａを有する。本実施形態では、突出部６１ａは、フランジ部６１の厚さと同程度の長さを有して突出する。突出部６１ａの径方向外側には、軸方向に延びて環状の径方向外側端面６１ｂが形成される。容器体１０のフランジ部６１上には、容器体１０の容器本体部１１の開口部１１ａを塞ぐシール部材１６が貼り付けられる。このシール部材１６は、容器体１０が蓋体２０に装着される際に引き剥がされる。
【００６５】
保持部３０は、図１０（ａ）に示すように、径方向外側縁部に下側へ延びて周方向に環状に形成された外壁部４３を有する。外壁部４３は、フランジ部６１が支持部２１の上側の支持部端面２１ｂと保持部３０の下側の保持部端面３０ｂとで挟持された状態において、突出部６１ａの下端部を超えて支持部２１の下部まで延びる。
【００６６】
外壁部４３の内面には、突出部６１ａの径方向外側端面６１ｂが接触する。このため、突出部６１ａの径方向外側端面６１ｂと外壁部４３の内面との間の隙間の発生を抑えることができる。よって、突出部６１ａの径方向外側端面６１ｂとこれに接する外壁部４３の内面との間のシール性を向上することができる。
【００６７】
外壁部４３の径方向内側の内面には、図１０（ａ）に示すように、係止突起部４３ａが形成される。この係止突起部４３ａは、支持部２１の外側面に形成された係合突起部２１ｅに係止される。係止突起部４３ａは、外壁部４３の内面に環状に設けられてもよいし、内面の一部に設けられてもよい。
【００６８】
支持部２１の径方向外側の端部には、図１０（ａ）に示すように、上方及び径方向外側が開口して外壁部４３が装着される装着段部４２が環状に形成される。本実施形態では、装着段部４２は、径方向に延びて周方向に環状に延びる平面状に形成される。この装着段部４２に外壁部４３の下側端部が接触した状態で、保持部３０が支持部２１に装着される。
【００６９】
また、支持部２１には、上側及び径方向外側が開口する環状の収容段部２１ｆが形成される。本実施形態では、収容段部２１ｆは、装着段部４２よりも上方の径方向内側に形成される。収容段部２１ｆは、径方向に延びる平面状であって環状に形成される。収容段部２１ｆの径方向長さは突出部６１ａの径方向長さよりも長い。また、収容段部２１ｆの軸方向の高さは、突出部６１ａの突出長さよりも大きい。収容段部２１ｆの径方向内側端から上方へ延びる支持部２１の上側外面２１ｇと収容段部２１ｆとで区画される環状の領域２１ｈ内に突出部６１ａが収容される。
【００７０】
このため、フランジ部６１の下面６１ｄが支持部２１の上側の支持部端面２１ｂに接触した状態で、突出部６１ａが環状の領域２１ｈ内に収容されると、突出部６１ａの下側端面と収容段部２１ｆとの間に隙間が形成される。また、突出部６１ａの径方向外側端面６１ｂが外壁部４３の内面４３ｂに接触した状態で、突出部６１ａの内面と支持部２１の上側外面２１ｇとの間には隙間が形成される。
【００７１】
このため、収容段部２１ｆと支持部２１の上側外面２１ｇとで区画される領域２１ｈ内に突出部６１ａを容易に収容することができる。したがって、保持部３０の保持部端面３０ｂ及び支持部２１の支持部端面２１ｂによってフランジ部６１を挟持する際に、これら保持部端面３０ｂ及び支持部端面２１ｂをフランジ部６１の上面６１ｃ及び下面６１ｄに面接触させてフランジ部６１を挟持することができる。
【００７２】
保持部３０及び蓋部５０は、図９及び図１０（ａ）に示すように、第２連結部５５を介して回動可能に繋がっている。本実施形態では、第２連結部５５はヒンジ部である。ヒンジ部は、保持部３０及び蓋部５０の径方向端部間に設けられる。
【００７３】
また、支持部２１及び保持部３０は、図９に示すように、第１連結部３３を介して回動可能に繋がっている。第１連結部３３はヒンジ部である。本実施形態では、第１連結部３３は、保持部３０に繋がる第２連結部５５に対して周方向に９０度ずれた位置に設けられる。
【００７４】
また、図９に示すように、蓋部５０の第２連結部５５に対して径方向に対向する位置に、指掛け部５９が形成される。指掛け部５９が形成された蓋部５０の側壁部５３の内面には、図１０（ｂ）に示すように、上側から下側へ向かって係合凹部５３ａ及び係合突起部５３ｂが形成される。保持部３０の嵌合筒３９の外面には、上側から下側へ向かって係合凹部５３ａ及び係合突起部５３ｂを係止する係止突起部３９ａ及び係止凹部３９ｂが形成される。よって、係合凹部５３ａ及び係合突起部５３ｂを係止突起部３９ａ及び係止凹部３９ｂに係止させることで、連通孔３０ａを塞いだ状態で、蓋部５０を閉状態に維持することができる。
【００７５】
係止部６６は、図９に示すように、第１連結部３３に対して保持部３０の径方向に対向する位置に配置される。係止部６６の内面には、上側から下側へ向かって図示しない係合凹部及び係合突起部が形成される。一方、支持部２１に保持部３０が装着された状態で、係止部６６に対向する支持部２１の径方向外側面には、上側から下側へ向かって係合凹部及び係合突起部を係止する図示しない係止突起部及び係止凹部が形成される。よって、係合凹部及び係合突起部を係止突起部及び係止凹部に係止することで、容器体１０のフランジ部６１が支持部２１の支持部端面２１ｂと保持部３０の保持部端面３０ｂで挟持された状態を維持することができる。
【００７６】
＜付け替え容器１の作用及び効果＞
次に、容器体１０を蓋体２０に装着する場合について説明する。先ず、図９に示すように、蓋体２０を展開した状態にする。そして、シール部材１６を剥がした容器体１０の容器本体部１１を支持部２１の上方から孔部２１ａ内に挿入する。孔部２１ａ内に挿入された容器本体部１１のフランジ部６１は、支持部２１の上側の支持部端面２１ｂ上に載置される。なお、シール部材１６の剥離は、容器体１０を支持部２１に装着した後に行ってもよい。
【００７７】
次に、第１連結部３３を支点として保持部３０を支持部２１側へ回動させて、保持部３０を支持部２１に装着する。保持部３０が装着されると、図１０（ａ）に示すように、フランジ部６１は、支持部２１の上側の支持部端面２１ｂと保持部３０の下側の保持部端面３０ｂとで挟持される。また、フランジ部６１の径方向外側端面６１ｂは、保持部３０の外壁部４３の内面４３ｂに接触する。
【００７８】
ここで、容器体１０のフランジ部６１に接着されたシール部材１６を剥がすと、フランジ部６１の上面６１ｃはノリが残存して荒れている場合がある。このため、ノリが残存したフランジ部６１の上面６１ｃに保持部３０の下側の保持部端面３０ｂが接触すると、フランジ部６１の上面６１ｃと保持部３０の保持部端面３０ｂとの間に隙間が生じてシール性が低下する虞がある。
【００７９】
しかしながら、フランジ部６１の径方向先端部に形成された突出部６１ａには、前記シール部材１６が接着されないため、当該突出部６１ａの径方向外側端面６１ｂを保持部３０の外壁部４３の内面４３ｂに接触させると、径方向外側端面６１ｂと内面４３ｂとの間の隙間は無くなり、シール性を高めることができる。よって、フランジ部６１の上面６１ｃと保持部３０の下側の保持部端面３０ｂとの間のシール性が低下しても、フランジ部６１の径方向外側端面６１ｂと外壁部４３の内面４３ｂとの接触によって、保持部３０とフランジ部６１との間のシール性を向上させることができる。
【産業上の利用可能性】
【００８０】
本発明の付け替え容器は、容器体を容易に交換可能なものであり、調味料、薬品、化粧料等の容器の分野で幅広い展開が期待される。
【符号の説明】
【００８１】
１  付け替え容器
１０、１０´  容器体
１１  容器本体部
１１ａ  開口部
１１ｂ  収容空間部
１１ｃ  底部
１３、６１  フランジ部
１４  側壁
１６  シール部材
２０  蓋体
２１  支持部
２１ａ  孔部
２１ｂ  上側の支持部端面
２１ｂ１  段部
２１ｃ  支持部内面
２１ｄ  空間部
２１ｅ  係合突起部
２１ｆ  収容段部
２１ｇ  上側外面
２１ｈ  領域
２５  係合段部
２６  平面部
３０  保持部
３０ａ  連通孔
３０ｂ  下側の保持部端面
３０ｃ  上側の保持部端面
３０ｄ  保持部内面
３１  嵌合突起
３３  第１連結部
３３ａ、５５ａ  薄肉部
３７  第１シール筒
３９  嵌合筒
４１、６６  係止部
４１ａ，４３ａ  係止突起部
４３  外壁部
４３ｂ  内面
５０  蓋部
５１  天板部
５３  側壁部
５３ａ  係合凹部
５３ｂ  係合突起部
５５  第２連結部
５７  第２シール部
５９  指掛け部
６１ａ  突出部
６１ｂ  径方向外側端面
６１ｃ  上面
６１ｄ  下面
Ｊ  容器軸
【図１】
2020125153.tif 000003
【図２】
2020125153.tif 000004
【図３】
2020125153.tif 000005
【図４】
2020125153.tif 000006
【図５】
2020125153.tif 000007
【図６】
2020125153.tif 000008
【図７】
2020125153.tif 000009
【図８】
2020125153.tif 000010
【図９】
2020125153.tif 000011
【図１０】
2020125153.tif 000012